(57)【要約】【課題】  従来は抜け止め用部材の軸方向で接触子と接触させているため、回転操作部材のスラストガタや抜け止め用部材の変形の影響を受け易いため、常に安定的に電気的接続が行えず、カメラ外部からの静電気により、カメラの動作が停止したり破壊してしまうという不安があった。【解決手段】  抜け止め用部材の周方向で接触子と接触させているため、回転操作部材のスラストガタや抜け止め用部材の変形の影響を受け難いため、常に安定的に電気的接続が行え、カメラ外部からの静電気により、カメラの動作が停止したり破壊してしまうのを防ぐことができる。【選択図】  図１
2009031383.tif 000002
【特許請求の範囲】
【請求項１】
導電性を有する回転操作部材（１）と、該回転操作部材（１）と電気的に接触し、かつ回転操作部材（１）の軸方向の抜け止めを兼ねる抜け止め用部材（２０）と、該抜け止め用部材（２０）とは別体の接触子（３０）とを備え、該接触子（３０）を導電性を有する部材（２３）にグランド接地し固定するとともに、
前記抜け止め用部材（２０）の外周部（２０ａ）と、前記接触子（３０）とで、電気的接触を行うことを特徴とする電子機器。
【請求項２】
接触子（３０）が回転操作部材（１）の可動域の中心位置から均等角度に複数配置したことを特徴とする請求項１記載の電子機器。
【請求項３】
抜け止め用部材（２０）の一部を回転軸方向に立ち曲げ、前記接触子の電気的当接部と接触させたことを特徴とする請求項１または２記載の電子機器。
【発明の詳細な説明】
【技術分野】
【０００１】
本発明は、電子機器の静電気的対策に関するものである。
【背景技術】
【０００２】
デジタルカメラのコンパクト化が進み、各種操作部材と、操作部材の操作部とカメラ内部の電気回路までの距離が近づいている。これによって、操作部材の隙間から入る静電気や、デザイン的見地からなされる操作部材の金属化の為、操作部材から回路に落ちてしまう静電気への対策はますます重要な課題となってきている。
【０００３】
特に操作部材が回転、あるいはスライドする操作部材の場合、固定部材との接地場所が操作部材の移動に伴って変化するため、特別な対応が必要になってくる。
【０００４】
接地の方法として、操作部材のスライド方向と水平方向に腕部を伸ばしてボディのア−ス電極と接触させることで長い操作ストロークの範囲でも安定して接地を確保している。（特許文献１参照）
また、ア−ス導通を圧縮スプリングによりとる技術が開示されている。（特許文献２参照）
さらに、絶縁して静電気を防止する技術が開示されている。（特許文献３参照）
【特許文献１】特開２００４−１２６２９９号公報
【特許文献２】特開２０００−３５２７４９号公報
【特許文献３】特開２０００−１２２１３３号公報
【発明の開示】
【発明が解決しようとする課題】
【０００５】
特許文献１または２に見られるように、操作部材の接地構造、特にスライドする操作部材や、回転する操作部材を接地しようとした場合、バネを使用することが重要な解決手段のひとつである。しかしながら、カメラをさらにコンパクト化しようとした場合バネを固定側に配置し、またバネを小さく設計する必要が生じる。
【０００６】
バネを小さくする為の課題は、バネのコンプライアンス（追随性）を確保する必要がある。バネを小さく設計しようとするとバネ先端の可撓範囲はバネの大きさにあわせて小さくなり大きな変位を与えるとバネがヘタってしまうことになる。また、撓みやすくするため、例えば板バネの場合板厚を薄くするといった対策を取るが、この場合、接点圧は板バネをうすくするにしたがって加速度的に減少するということになる。
【０００７】
このように、可撓性の確保と接点圧は、バネのコンパクト化のためにはバランス取りをしないといけない重要な項目となる。
【０００８】
スライドする操作部材や、回転する操作部材は、カメラ本体から突出するような形で配置される場合が多い。したがって、撮影操作時以外に、カメラを落とし操作部材から床に当たる落下衝撃や、カバンの中で押し付けられ集中的な静荷重を受ける、といった構造になりがちである。さらに、操作する人の力のかけ具合によって押し込み気味に移動したり、軽いタッチで動かされたりと、かかる力が一定ではない。操作部材の深さ方向（回転する操作部材の場合回転軸方向）に変位するバネで接地しようとすると、衝撃時や静圧荷重による特異な変位や操作圧力の変化分のストローク（バネの可撓範囲）が上乗せして必要で、バネのコンパクト化を阻害していた。
【０００９】
図５は従来例を説明する図である。図５において、回転操作部材に変位を与えるとそれがすべて接触子の受ける変位となる。バネ部を小さくすると、バネがへたったり場合によってはバネが破損してしまうので、接触子を小さくすることができないという問題がある。
【課題を解決するための手段】
【００１０】
上記目的を達成するため、本発明の電子機器は、導電性を有する回転操作部材と、該回転操作部材と電気的に接触し、かつ回転操作部材の軸方向の抜け止めを兼ねる抜け止め用部材と、該抜け止め用部材とは別体の接触子とを備え、該接触子を導電性を有する部材にグランド接地し固定するとともに、前記抜け止め用部材（２０）の外周部（２０ａ）と、前記接触子（３０）とで、電気的接触を行うことを特徴とする。
【発明の効果】
【００１１】
本発明によれば、操作力の影響を受けず、少ない可撓範囲の中で、安定した接点圧を確保できる。抜け止め用部材の外周部は回転操作部材の回転中心から一定になるよう、正確な円弧を構成し、強い力で押し付けながら操作部材を回転しても、ほとんど押し圧を加えないように回転しても、接触子の接点部に安定した変位を与えるようになっている。その結果、強い力が加わって大きな変位が与えられても接触不良が起こらないという効果がある。
【発明を実施するための最良の形態】
【００１２】
図１は本発明の特徴を最もよく表す図画であり、抜け止め用部材と接触子を表している斜視図である。図２は本発明を表すカメラの上蓋ユニットの裏側面斜視図である。図３は図２のカメラの斜視図である。図４は操作部の断面図である。図５は従来例を表すカメラの上蓋ユニットの裏側面斜視図である。
【００１３】
図３、図２、図４において４はカメラのレリ−ズ釦で撮影者が撮影動作をするときに、２段スイッチ２１を押す。レリ−ズ釦４はズ−ムレバ−１と同軸に設けられ図１あるいは図４に示すようにズ−ムレバ−１の中心の穴１ａにシャッターボタン４のシャッターボタン軸４ａが入り係止部４ｂでズ−ムレバ−１に係合し所定のストロークだけ軸方向に移動可能となっている。
【００１４】
ズ−ムレバ−１は撮影画角を変更するためのスイッチであるであり本発明の回転操作部材に相当する。ズ−ムレバ−１は金属または工業用プラスチックで形成されており、その表面は金属メッキが施されている。したがって、ズ−ムレバ−１は導電性を有する回転操作部材である。図２あるいは図４に示すように２０は抜け止め用部材であり金属で出来ており、ビスによってズ−ムレバ−１に結合されている。抜け止め用部材２０は足部２０ａを一体に備え、ズ−ムレバ−１を常に中立位置へ復帰するようになっている。
【００１５】
３０は金属製の接触子であり、常に抜け止め用部材に当接し電気的に接触している。接触子３０はフレキ２２を取り付けグランッド接地された金属板のプレート２３（導電性を有する部材）とともに共締めしグランド接地されている。
【００１６】
５はカメラの外観を構成する上蓋である。前記ズ−ムレバ−１と抜け止め用部材２０とは該上蓋５を挟んでビス止め固定されている。
【００１７】
ズ−ムレバ−１と上蓋は所定の軸方向の隙間があり回動自在になっており、上蓋５に設けた不図示のストッパ手段により規定角度まで回転可能である。
【００１８】
２段スイッチ２１はフレキ２２に実装され、フレキ２２とともに接着等の手段でプレート２３に取り付けられている。
【００１９】
ズ−ムレバ−１はカメラ本体の端っこに位置し、且つ操作性がよいように概略直方体のカメラ本体から膨れだすように配置されている。
【００２０】
したがって、カメラを落としたとき、最も衝撃を受けやすい場所ということができる。
【００２１】
また出っ張っていることで、例えば満員電車の中で、電車の壁に押し付けられたりすると、通常予期することが出来ないような静止圧力を、小さなズ−ムレバ−１の一点で受けてしまうようなことなり予想外の変形を受ける場所ということもできる。
【００２２】
２５はカメラのストラップ通しでここに取り付けた図示せぬストラップが、本当に少ない確立ではあるがズ−ムレバ−１の先端に引っかかりズ−ムレバ−１を引き剥がす方向に引っ張ってしまうことがある。
【００２３】
このような時、極端な場合抜け止め用部材２０を変形させることもあり、この場合塑性変形が抜け止め用部材２０に発生し抜け止め用部材２０と、接触子３０の接触位置が変化する結果となる。
【００２４】
図５は従来例で操作部材の操作力の加わる方向に接触子３の切片を設けた例であり実際のカメラとして設計されている。
【００２５】
図５で２は抜け止め用部材、２ａは抜け止め用部材２の足部、３は接触子である。
【００２６】
本発明は前記従来例（図５）の抜け止め用部材２と接触子３とを図１の抜け止め用部材２０と接触子３０のような形状に変更したことを特徴とする。
【００２７】
つまり、ズ−ムレバ−１に衝撃が加わったり大きな静圧を受け、上蓋５とズ−ムレバ−１の間に設けている動く為の隙間から想定される以上に上蓋５やズ−ムレバ−１が弾性変形し、抜け止め用部材２０が変位したときでも接触子３０を異常に変位させることがない。
【００２８】
衝撃が加わったり大きな静圧を受てズ−ムレバ−１が変位する方向と直角に接触子３０が抜け止め用部材２０に接触するようになし接触子３０のバネ部分がへたらないように構成している。
【００２９】
図１の抜け止め用部材２０には、立ち壁部２０ａが一体に形成されており、抜け止め用部材２０が変位した場合でも接触子３０との接触が保たれるように構成している。
【００３０】
立ち壁部２０ａ（外周部）は、ズ−ムレバ−１の回転軸を中心とする円筒形の一部で、２段スイッチ２１の外側に来るように構成している。
【００３１】
このように例え抜け止め用部材が変形しても接触子は外力による変形を受け難い外周方向で電気的接触している。このため、接触子そのものを変形されてしまう危険性が極めて少なく接触子との電気的接触は確保されたままなので、静電気によりカメラが破壊されてしまうのを防ぐことができる。
【００３２】
図１に示すように接触子３０は二股に分かれた接触部分を持って構成している。このように構成することで取り付け時組み付けるだけで２つの接触部分の接触圧が均一になるように構成し、組立作業で押しすぎたり、逃がしすぎたりしないように構成し、短くて、使用可能な撓み領域の少ない接触子３０の使用可能範囲を有効に活用している。
【００３３】
図５の従来例ではズ−ムレバ−１大きな変位を与えると、直接、接触子３をその変位分だけ押してしまう。したがって接触子３のバネを小さくすると、その使用可能な撓み範囲を超えてしまうことになり接触子３を小さくすることが出来なかった。
【００３４】
ズ−ムレバ−１を引き剥がす方向に力を加え抜け止め用部材２を変形させた場合も接触子３のバネを小さくすると、その使用可能な撓み範囲を超えてしまうことになり接触子３を小さくすることが出来ない理由となる。
【図面の簡単な説明】
【００３５】
【図１】本発明の特徴を最もよく表すズームレバーの斜視図であり、抜け止め用部材と接触子を表している。
【図２】本発明のカメラ上蓋ユニットの裏側面斜視図である。
【図３】図２のカメラの上蓋ユニットの表側面斜視図である。
【図４】ズームレバーを含む斜視図
【図５】従来例を表すカメラの上蓋ユニットの裏側面斜視図である。
【符号の説明】
【００３６】
１  ズ−ムレバ−（回転操作部材）
２  抜け止め用部材
３  接触子
４  レリ−ズ釦
５  上蓋
【図１】
2009031383.tif 000003
【図２】
2009031383.tif 000004
【図３】
2009031383.tif 000005
【図４】
2009031383.tif 000006
【図５】
2009031383.tif 000007